(57)【要約】      （修正有）【課題】美容等の目的で人体皮膚から使用者が快適な状態で炭酸ガスを吸収できる炭酸ガス吐出敷き具を提供する。【解決手段】炭酸ガス吐出敷き具１１は、炭酸ガスが供給される空間を有し、使用者が接する面１２に、前記空間に供給された炭酸ガスを吐出可能な吐出孔１３が形成されている。使用者が炭酸ガス吐出敷き具１１上に横になるだけで充填される炭酸ガスが吐出孔１３から吐出され、体内に炭酸ガスが吸収される。【選択図】図１
0003157138.tif 000002
【実用新案登録請求の範囲】
【請求項１】
炭酸ガスが供給される空間を有し、
使用者が接する面に、前記空間に供給された炭酸ガスを吐出可能な吐出孔が形成されていることを特徴とする炭酸ガス吐出敷き具。
【請求項２】
外部から加えられた圧力により前記空間内の圧力が所定の圧力以上になることで前記吐出孔から炭酸ガスを吐出することを特徴とする請求項１に記載の炭酸ガス吐出敷き具。
【請求項３】
前記空間は、仕切りによって区分けされた複数の空間であり、隣接する空間同士の間で炭酸ガスが流出入可能であることを特徴とする請求項１または２に記載の炭酸ガス吐出敷き具。
【請求項４】
前記空間に炭酸ガスが充填される管体を有し、
前記管体に充填された炭酸ガスがピンホールを介して吐出されることで前記空間に炭酸ガスが供給されることを特徴とする請求項１または２に記載の炭酸ガス吐出敷き具。
【請求項５】
前記吐出孔は、使用者が仰臥した状態で横になったときに少なくとも使用者の背中部又は腰部に対応する位置に形成されていることを特徴とする請求項１乃至４の何れか１項に記載の炭酸ガス吐出敷き具。
【請求項６】
前記吐出孔は、使用者が着座したときに少なくとも使用者の股間、肛門又は臀部に対応する位置に形成されていることを特徴とする請求項１乃至４の何れか１項に記載の炭酸ガス吐出敷き具。
【考案の詳細な説明】
【技術分野】
【０００１】
本考案は、使用者が接している面から炭酸ガスを吐出することができる炭酸ガス吐出敷き具に関するものである。
【背景技術】
【０００２】
炭酸ガスが体内に吸収されると、体内の組織を通して血液中の赤血球内に入り込み、赤血球内において化学反応が生じ、赤血球は酸素を放出する。赤血球から放出された酸素が、体内の細胞に行き渡ることで、各細胞は活性化する。各細胞が、活性化することで、血管が拡張したり、血行が促進されたり、血圧が低下したりする等の効果をもたらすことができる。このような効果をＢｏｈｒ効果といい、従来から美容や医療の分野において利用されている。
【０００３】
近年、体内に炭酸ガスを吸収させるために様々な装置が考案されている。例えば、特許文献１には、人体の皮膚を覆い空間内に炭酸ガス及び水蒸気を溜めるカバー部材を有する炭酸ガス浴用カバーが提案されている。このような炭酸ガス浴用カバーを用いれば、少量の炭酸ガスでも効率的に人体の皮膚から炭酸ガスを吸収させることができる。
【先行技術文献】
【特許文献】
【０００４】
【特許文献１】実用新案登録第３１４４７１８号公報
【考案の概要】
【考案が解決しようとする課題】
【０００５】
しかしながら、上述したような炭酸ガス浴用カバーでは、人体に固定するためにバックル等を用いて取り付ける必要があり、その着脱に手間がかかってしまう。また、炭酸ガスがカバーから外部に漏洩しないように人体とカバーとの間を密着させる必要があり、使用者はカバーの装着を不快に感じてしまい、長時間、使用することが困難であるという問題がある。
本考案は、上述したような問題点に鑑みてなされたものであり、使用者が快適な状態で炭酸ガスを人体に吸収できるようにする。
【課題を解決するための手段】
【０００６】
本考案は、炭酸ガスが供給される空間を有し、使用者が接する面に、前記空間に供給された炭酸ガスを吐出可能な吐出孔が形成されていることを特徴とする。
また、本考案は、外部から加えられた圧力により前記空間内の圧力が所定の圧力以上になることで前記吐出孔から炭酸ガスを吐出することを特徴とする。
また、本考案は、前記空間は、仕切りによって区分けされた複数の空間であり、隣接する空間同士の間で炭酸ガスが流出入可能であることを特徴とする。
また、本考案は、前記空間に炭酸ガスが充填される管体を有し、前記管体に充填された炭酸ガスがピンホールを介して吐出されることで前記空間に炭酸ガスが供給されることを特徴とする。
また、本考案は、前記吐出孔は、使用者が仰臥した状態で横になったときに少なくとも使用者の背中部又は腰部に対応する位置に形成されていることを特徴とする。
また、本考案は、前記吐出孔は、使用者が着座したときに少なくとも使用者の股間、肛門又は臀部に対応する位置に形成されていることを特徴とする。
【考案の効果】
【０００７】
本考案によれば、使用者が快適な状態で炭酸ガスを人体に吸収することができる。
【図面の簡単な説明】
【０００８】
【図１】第１の実施形態に係る炭酸ガス吐出装置の構成を示す図である。
【図２】第１の実施形態に係る炭酸ガス吐出マットの断面構造を示す図である。
【図３】第１の実施形態に係る炭酸ガス吐出装置の使用状態を示す図である。
【図４】第２の実施形態に係る炭酸ガス吐出装置の構成を示す図である。
【図５】第２の実施形態に係る炭酸ガス吐出マットの断面構造を示す図である。
【図６】第２の実施形態に係る炭酸ガス吐出マットの使用状態を示す図である。
【図７】第３の実施形態に係る炭酸ガス吐出装置の構成を示す図である。
【図８】第３の実施形態に係る炭酸ガス吐出座布団の断面構造を示す図である。
【図９】第４の実施形態に係る炭酸ガス吐出座布団の構成を示す図である。
【図１０】第４の実施形態に係る炭酸ガス吐出座布団を分解した斜視図である。
【図１１】第４の実施形態に係る炭酸ガス吐出座布団の使用状態を示す図である。
【図１２】炭酸ガス吐出座布団を椅子に用いた図である。
【図１３】炭酸ガス吐出座布団の使用状態を示す図である。
【図１４】他の炭酸ガス供給装置を示す図である。
【考案を実施するための形態】
【０００９】
以下、本考案に係る実施形態について図面を参照して説明する。
（第１の実施形態）
図１は、第１の実施形態に係る炭酸ガス吐出装置１０の構成を示す図である。
図１に示すように、炭酸ガス吐出装置１０は、炭酸ガス吐出敷き具としての炭酸ガス吐出マット１１と炭酸ガス供給装置２１とを含んで構成されている。
【００１０】
炭酸ガス吐出マット１１は、略平板状であり、使用者がその上で横になることができる大きさに形成されている。また、炭酸ガス吐出マット１１の素材は、使用者が就寝するときに適した柔軟性を有する素材や、付着した汚れを拭き取り易い例えば水捌け性のよい素材等を用いることができる。
また、炭酸ガス吐出マット１１の表面１２、すなわち使用者が横になったときに使用者が接する面には、炭酸ガス吐出マット１１内に充填された炭酸ガスを外部に吐出させるための吐出孔１３が複数、穿設されている。この吐出孔１３は、使用者が炭酸ガス吐出マット１１の上で仰臥状態で横になったときに、使用者の首部、背中部、腰部および臀部に対応する位置に形成されている。なお、吐出孔１３を形成する位置は、上述した位置に限られず、腕部、脚部および頭部に対応する位置に形成されていてもよい。また、吐出孔１３は、炭酸ガス吐出マット１１の全面に亘って形成されていてもよい。
【００１１】
炭酸ガス吐出マット１１の内部構造について図２を参照して説明する。
図２（ａ）および図２（ｂ）は、それぞれ異なる形態の内部構造を示す断面図である。図２（ａ）および図２（ｂ）に示すように、炭酸ガス吐出マット１１内は、炭酸ガスが充填される複数の空間１４が炭酸ガス吐出マット１１の全域に亘って形成されている。
【００１２】
図２（ａ）に示す内部構造では、裏側部材１６から表側部材１５に向かって立設する仕切り１７が所定の間隔で形成されることにより、各空間１４が形成されている。各空間１４の表側部材１５には、それぞれ上述した吐出孔１３が所定の数量（ここでは、２つ）穿設されている。また、表側部材１５と仕切り１７との間には、僅かな隙間が形成されていて、炭酸ガスがこの隙間を介して隣接する空間１４の間で流出入可能である。
【００１３】
図２（ｂ）に示す内部構造では、表側部材１５と裏側部材１６とを繋ぐ仕切り１８が所定の間隔で形成されることにより、各空間１４が形成されている。各空間１４の表側部材１５には、それぞれ上述した吐出孔１３が所定の数量（ここでは、２つ）穿設されている。また、仕切り１８には、僅かな孔１９が形成されていて、炭酸ガスがこの孔１９を介して隣接する空間１４の間で流出入可能である。
なお、図２（ａ）および図２（ｂ）に示す吐出孔１３は、各空間１４から外部に炭酸ガスを吐出可能であるが、外部から各空間１４内に空気を流入できないように構成されている。さらに、吐出孔１３は、各空間１４内の圧力が所定の圧力以上になることで、吐出孔１３が開き炭酸ガスが空間１４から外部に吐出できるように構成されている。
【００１４】
一方、炭酸ガス供給装置２１は、容器２２、減圧器２３および供給チューブ２４を有している。容器２２は、いわゆるハンディボンベであり、炭酸ガスが非常に高圧縮された状態で収容されている。減圧器２３は、容器２２に高圧縮された炭酸ガスを減圧させた状態で供給チューブ２４の先端から放出させることができる。使用者は、供給チューブ２４の先端を炭酸ガス吐出マット１１の内部に挿入した状態から、目盛りで圧力を確認しながら減圧器２３の摘みを開いていくことで、炭酸ガスを炭酸ガス吐出マット１１内に充填させることができる。
【００１５】
次に、本実施形態に係る炭酸ガス吐出装置１０の使用方法について図３を参照して説明する。図３は、炭酸ガス吐出装置１０の使用状態を示す図である。
まず、使用者は炭酸ガス供給装置２１を用いて、炭酸ガス吐出マット１１の空間１４内に炭酸ガスを充填させる。次に、図３に示すように、使用者は炭酸ガスが充填された炭酸ガス吐出マット１１の吐出孔１３を覆うようにして仰臥状態で横になる。
炭酸ガス吐出マット１１の各空間１４内では、使用者の加圧によって、空間１４内の炭酸ガスの圧力が上昇するために、炭酸ガスが吐出孔１３から外部に吐出する。このとき、炭酸ガスが吐出孔１３に対応した使用者の各部位に吹き付けられ、使用者の各部位から体内に炭酸ガスを吸収させることができる。このとき、体内の化学反応によって、血管が拡張したり、血行が促進されたり、血圧が低下したりする等の効果がある。
【００１６】
本実施形態によれば、従来のように特別な装置を装着する等して使用者が不快な状態で長時間、耐えながら使用する必要がなく、使用者は炭酸ガス吐出マット上に横になるだけでよいので快適な状態で上述した効果を得ることができる。また、特に、使用者の背中部や腰部に対応する吐出孔から吐出された炭酸ガスは、褥瘡（いわゆる床ずれ）の現象を低減させたり、治療したりする効果を有している。
【００１７】
なお、炭酸ガスが吐出された空間１４内では、炭酸ガスの充填量が減少するものの、炭酸ガス供給装置２１から供給される炭酸ガスや炭酸ガスの充填量が十分な空間１４内の炭酸ガスによって補充されることで継続して使用者の各部位に炭酸ガスを吹き付けることができる。
【００１８】
（第２の実施形態）
図４は、第２の実施形態に係る炭酸ガス吐出装置３０の構成を示す図である。本実施形態は、第１の実施形態の炭酸ガス吐出マットと構成が異なる。他の構成要素については、同一符号を付してその説明を省略する。
本実施形態の炭酸ガス吐出マット３１の表面３２は、略半球状の凸部３３が複数、一面に亘って、形成されている。各凸部３３には炭酸ガス吐出マット３１内に充填された炭酸ガスを外部に吐出させるための吐出孔３４が複数、穿設されている。
【００１９】
次に、本実施形態の炭酸ガス吐出マット３１の内部構成について図５を参照して説明する。
図５に示すように、炭酸ガス吐出マット３１内には、上述した各凸部３３内にそれぞれ形成された、炭酸ガスが充填される空間３５を有している。各空間３５の表側部材３６には、それぞれ上述した吐出孔３４が所定の数量（ここでは、３つ）穿設されている。また、隣接する空間３５同士は隙間を介して連通していて、空間３５内の炭酸ガスは、隣接する空間３５の間で流出入可能である。
なお、図５に示す吐出孔３４は、各空間３５から外部に炭酸ガスを吐出可能であるが、外部から各空間３５内に空気を流入できないように構成されている。さらに、吐出孔３４は、各空間３５内の圧力が所定の圧力以上になることで、吐出孔３４が開き炭酸ガスが空間３５から外部に吐出できるように構成されている。
【００２０】
次に、本実施形態に係る炭酸ガス吐出装置３０の使用方法について説明する。
まず、使用者は炭酸ガス供給装置２１を用いて、炭酸ガス吐出マット３１の空間３５内に炭酸ガスを充填させる。次に、使用者は炭酸ガスが充填された炭酸ガス吐出マット３１の吐出孔３４を覆うようにして横になる。
ここで、図６に示すように炭酸ガス吐出マット３１の各凸部３３が上方から潰され加圧されることにより、各空間３５内の炭酸ガスの圧力が上昇するために、潰された凸部３３の吐出孔３４およびその周辺の凸部３３の吐出孔３４から炭酸ガスが外部に吐出する。
【００２１】
したがって、使用者が横になることで、炭酸ガスが吐出孔１３に対応した使用者の各部位に吹き付けられ、使用者の各部位から体内に炭酸ガスを吸収させることができる。このとき、体内の化学反応によって、血管が拡張したり、血行が促進されたり、血圧が低下したりする等の効果がある。
【００２２】
本実施形態によれば、従来のように特別な装置を装着する等して使用者が不快な状態で長時間、耐えながら使用する必要がなく、使用者は炭酸ガス吐出マット上に横になるだけでよいので快適な状態で上述した効果を得ることができる。また、特に、使用者が寝返りを打った場合に、使用者の異なる体の部位が凸部３３を上方から潰すことから、潰された凸部３３の吐出孔３４から異なる体の部位に炭酸ガスを吹き付けることができる。したがって、使用者の体の様々な部位に、上述した効果をもたらすことができる。
【００２３】
なお、上述した第１および第２の実施形態では、使用者が炭酸ガス吐出マットに横になる使用方法のみについて説明したが、この場合に限られず、炭酸ガス吐出マット上に座って使用したり、立って使用したりしてもよい。したがって、使用者が横たわることができる大きさに限られず、座って使用したり、立って使用したりする場合に適した大きさに形成されてもいてもよい。
【００２４】
また、炭酸ガス供給装置の減圧器を調整し、炭酸ガスの圧力を上げて供給してもよく、この場合、炭酸ガス吐出マットの空間内の炭酸ガスの圧力が上昇することから、使用者が炭酸ガス吐出マット上にのらなくとも、吐出孔から炭酸ガスを吐出させることができる。
また、炭酸ガス供給装置は炭酸ガス吐出マットに炭酸ガスを常時供給してもよく、断続的に供給してもよく、空間内の気圧が低下したことを検出してから自動的に補充するように供給してもよい。
また、使用者が横になった状態で上から毛布や布団、シート等を覆うようにしてもよい。この場合、毛布や布団内が炭酸ガスで満たされるために、より上述した効果が期待できる。
【００２５】
（第３の実施形態）
図７は、第３の実施形態に係る炭酸ガス吐出装置４０の構成を示す図である。
図７に示すように、炭酸ガス吐出装置４０は、炭酸ガス吐出敷き具としての炭酸ガス吐出座布団４１と炭酸ガス供給装置５１とを含んで構成されている。
【００２６】
炭酸ガス吐出座布団４１は、略平板状であり、使用者がその上に座ることができる大きさに形成されている。炭酸ガス吐出座布団４１の表面４２、すなわち使用者が座ったときに使用者が接する面には、炭酸ガス吐出座布団４１内に充填された炭酸ガスを外部に吐出させるための吐出孔４３が、複数穿設されている。この吐出孔４３は、使用者が着座したときに、使用者の肛門および股間に対応する位置に形成されている。なお、吐出孔４３を形成する位置は、上述した位置に限られず、臀部に対応する位置に形成されていてもよく、炭酸ガス吐出座布団４１の表面４２の全面に亘って形成されていてもよい。
【００２７】
また、図８は、炭酸ガス吐出座布団４１の断面図である。図８に示すように、炭酸ガス吐出座布団４１は、使用者の臀部にフィットし易いように中央側が凹状に湾曲して形成されている。また、炭酸ガス吐出座布団４１の内部には、炭酸ガスが充填される空間４５が形成されている。
なお、図８に示す吐出孔４３は、空間４５から外部に炭酸ガスを吐出可能であるが、外部から空間４５内に空気を流入できないように構成されている。さらに、吐出孔４３は、各空間４５内の圧力が所定の圧力以上になることで、吐出孔４３が開き炭酸ガスが空間４５から外部に吐出できるように構成されている。
【００２８】
一方、炭酸ガス供給装置５１は、いわゆるスプレー缶や小型カートリッヂであって、容器５２と、押下部５３と、吹き出し口５４とを有している。容器５２は、炭酸ガスが高圧縮された状態で収容されている。使用者は、吹き出し口５４を炭酸ガス吐出座布団４１の吸入口４４に繋げ、押下部５３を押すことで、容器５２内の炭酸ガスを炭酸ガス吐出座布団４１内に充填させることができる。
【００２９】
次に、本実施形態に係る炭酸ガス吐出装置４０の使用方法について説明する。
まず、使用者は炭酸ガス供給装置５１を用いて、炭酸ガス吐出座布団４１の空間４５内に炭酸ガスを充填させる。次に、使用者は炭酸ガスが充填された炭酸ガス吐出座布団４１の吐出孔４３を覆うようにして着座する。
ここで、炭酸ガス吐出座布団４１が上方から加圧されることにより、空間４５内の炭酸ガスの圧力が上昇するために、吐出孔４３から炭酸ガスが外部に吐出する。
【００３０】
したがって、使用者が着座することで、炭酸ガスが使用者の各部位に吹き付けられ、使用者の各部位から体内に炭酸ガスを吸収させることができる。炭酸ガスは、使用者の肛門や股間から吸収されることから、痔、便秘および前立腺の病症などに効果がある。なお、股間付近は湿気がある部位なので、炭酸ガスが水蒸気に溶解し、溶解した水蒸気を介して体内に炭酸ガスが吸収されるので、炭酸ガスが体内に、より吸収されやすい。また、炭酸ガス吐出座布団４１の吐出孔４３を使用者の臀部に対応する位置に形成し、車椅子の座面上に載置して使用することで、車椅子使用者の臀部の褥瘡の現象を低減させたり、治療することができる。
【００３１】
本実施形態によれば、従来のように特別な装置を装着する等して使用者が不快な状態で長時間、耐えながら使用する必要がなく、使用者は着衣を身に付けたままで炭酸ガス吐出座布団に座るだけでよいので快適な状態で上述した効果を得ることができる。
【００３２】
（第４の実施形態）
図９は、第４の実施形態に係る炭酸ガス吐出敷き具としての炭酸ガス座布団８１の構成を示す図である。
炭酸ガス座布団８１は、略平板状であり、使用者がその上に座ることができる大きさに形成されている。炭酸ガス吐出座布団８１の表面８２、すなわち使用者が座ったときに使用者が接する面には、炭酸ガス吐出座布団８１内に充填された炭酸ガスを外部に吐出させるための吐出孔８３が、複数穿設されている。吐出孔８３のうち中央に位置する複数の吐出孔８３ａは、使用者が着座したときに、使用者の肛門および股間に対応する位置に形成されている。また、両側に位置する複数の吐出孔８３ｂは、使用者が着座したときに、使用者の臀部に対応する位置に形成されている。
【００３３】
図１０は、炭酸ガス座布団８１の分解斜視図である。図１０に示すように、炭酸ガス座布団８１は、ケース体８４、チューブ８７、発泡スチロールビーズ９０、メッシュシート９１、カバー９２を有している。ケース体８４は、材質を密着性、柔軟性、耐久性及び密閉性を有するクロロプレーンラバーを用いている。ケース体８４には、中央に位置する小さな空間８５ａと、その空間８５ａを囲むように形成されたコ字状の大きな空間８５ｂを有している。各空間８５には、それぞれチューブ８７を収容することができる。
【００３４】
チューブ８７は、ゴム製で無端状の管体であり、吸引口８９から内部に炭酸ガスを充填させることができるようになっている。上述した小さい空間８５ａには全長が短いチューブ８７ａが収容され、大きな空間８５ｂには全長が長いチューブ８７ｂが収容される。また、チューブ８７には、内部に充填された炭酸ガスを少しずつ外部に吐出させるピンホール８８が形成されている。
発泡スチロールビーズ９０は球状の充填材であり、チューブ８７が収容されている空間８５内にチューブ８７の上から敷き詰められる。
【００３５】
メッシュシート９１は、発泡スチロールビーズ９０が通過できない網状であって、カバー９２に形成されている各吐出孔８３ａ、８３ｂを下側から覆うことができる大きさにそれぞれ形成されている。各メッシュシート９１は、発泡スチロールビーズ９０が各吐出孔８３ａ、８３ｂから外部に飛び出ないように規制している。
カバー９２は、クロロプレーンラバーにナイロンジャージが張り合わされ、耐久性を向上させた材質で形成されている。カバー９２は、ケース体８４に蓋着されることで、各空間８５ａ、８５ｂが外部との間で区画される。
【００３６】
なお、吐出孔８３は、空間８５から外部に炭酸ガスを吐出可能であるが、外部から空間８５内に空気を流入できないように構成されている。さらに、吐出孔８３は、各空間８５内の圧力が所定の圧力以上になることで、吐出孔８３が開き炭酸ガスが空間８５から外部に吐出できるように構成されている。
【００３７】
次に、本実施形態に係る炭酸ガス吐出座布団８１の使用方法について図１１を参照して説明する。図１１は、炭酸ガス吐出座布団８１の使用状態を示す図である。
まず、使用者は、図１１（ａ）に示す炭酸ガス吐出座布団８１の上から吐出孔８３を覆うようにして着座する。
次に、図１１（ｂ）に示すように、使用者は炭酸ガス供給装置２１を用いて各吸引口８９から各チューブ８７内に炭酸ガスを充填させる。すると、各チューブ８７が膨張することで、炭酸ガス吐出座布団８１全体が膨らみ、炭酸ガス供給装置２１に着座している使用者が浮き上がる。このとき、使用者は柔軟性を有する発泡スチロールビーズ９０を介して押し上げられるため、座り心地がよく快適である。
【００３８】
次に、各チューブ８７内に充填された炭酸ガスは、各ピンホール８８から徐々に炭酸ガス吐出座布団８１の各空間８５に漏洩する。また、図１１（ｃ）に示すように、炭酸ガス吐出座布団８１が上方から加圧されることにより、各空間８５内の炭酸ガスの圧力が上昇するために、各吐出孔８３から炭酸ガスが外部に吐出する。このとき、炭酸ガスが使用者の各部位に吹き付けられ、使用者の各部位から体内に炭酸ガスを吸収させることができる。炭酸ガスは、使用者の臀部、肛門および股間から吸収されることから、痔、便秘および前立腺の病症、褥瘡の現象を低減させる効果がある。また、炭酸ガス吐出座布団８１を、車椅子の座面上に載置して使用することで、車椅子使用者の臀部の褥瘡の現象を低減させたり、治療することができる。
【００３９】
その後、各空間８５内から炭酸ガスが外部に吐出し終わると、図１１（ｄ）に示すように、炭酸ガス吐出座布団８１が収縮してしまうが、再び各チューブ８７内に炭酸ガスを充填することで繰り返し使用することができる。なお、各発泡スチロールビーズ９０は小径で転動しやすい形状である。したがって、再び、使用者が各チューブ８７内に炭酸ガスを充填させると、各発泡スチロールビーズ９０は前回と異なる位置に転動しているため、使用者に対して圧迫する位置が変動する。したがって、使用者は毎回異なる部位に対して刺激され、血行を良くする効果を得ることができる。
【００４０】
本実施形態によれば、従来のように特別な装置を装着する等して使用者が不快な状態で長時間、耐えながら使用する必要がなく、使用者は着衣を身に付けたままで炭酸ガス吐出座布団に座るだけでよいので快適な状態で上述した効果を得ることができる。
【００４１】
なお、図１２に示すように、第３および第４の実施形態の炭酸ガス吐出座布団４１、８１を椅子６０の座面６１上に載置させて使用してもよい。すなわち、使用者が椅子６０上に座ることで炭酸ガス吐出座布団上に着座することになり、上述した効果を得ることができる。椅子は、座椅子、車椅子、乗用車等の乗り物に備え付けられた椅子（座席）等の上に載置することができる。
【００４２】
また、図１３に示すように、使用者が第３および第４の実施形態の炭酸ガス吐出座布団４１、８１上に着座した状態で腰部から大腿部にかけて毛布６３等の被覆材で覆うようにしてもよい。この場合、毛布６３内が炭酸ガスで満たされ、さらに股間付近が湿気で帯びるため、上述した効果がより期待できる。また、ヒータを用いて暖めることで、さらに股間付近を湿気で帯びさせることができる。
【００４３】
上述した第１〜第４の実施形態で用いた炭酸ガス吐出敷き具は、使用者の体の各部位を保温、保湿ができるような機能を備えていてもよい。また、炭酸ガス吐出敷き具は、使用者の体の各部位に遠赤外線、近赤外線を照射できるような機能を備えていてもよい。
また、上述した第１〜第４の実施形態では、炭酸ガス供給装置により、炭酸ガスを供給する場合についてのみ説明したが、例えば、炭酸ガス吐出敷き具内で重曹とクエン酸とを化学反応させて炭酸ガスを発生させるようにしてもよい。また、炭酸ガス吐出敷き具内にドライアイスを含ませるようにし、昇華させて、炭酸ガスを発生させるようにしてもよい。このように、化学反応を用いて炭酸ガス吐出敷き具内に炭酸ガスを充填させてもよい。
また、上述した第１〜第４の実施形態では、空間内から炭酸ガスのみを吐出する場合について説明したが、この場合に限られず、炭酸ガスと一緒にミストや蒸気を吐出させてもよい。
【００４４】
また、上述した第１〜第４の実施形態で用いた炭酸ガス供給装置は、ハンディボンベやスプレー缶等を用いる場合について説明したが、この場合に限られず、炭酸ガスを炭酸ガス吐出敷き具の空間内に供給できるものであれば、どのようなものであってもよい。例えば、炭酸ガス供給装置は、図１４に示すような大型ボンベ７０であってもよい。大型ボンベ７０を用いる場合、ワンタッチカプラ７１やレギュレータ７２を取り付けることが好ましい。すなわち、使用者はワンタッチカプラ７１を用いることで、簡単に各実施形態の炭酸ガス吐出敷き具に大型ボンベ７０を接続することができる。また、レギュレータ７２を用いることで、安全な圧力の炭酸ガスを取り出すことができる。なお、レギュレータ７２には、封印やカバーをして使用者が操作できないようにすることでさらに安全性を高めることができる。
【００４５】
なお、第１および第２の実施形態の炭酸ガス吐出マット１１、３１のサイズを小さくして第３および第４の実施形態のような炭酸ガス吐出座布団に用いてもよい。また、第３および第４の実施形態の炭酸ガス吐出座布団４１、８１のサイズを大きくして第１および第２の実施形態のような炭酸ガス吐出マットに用いてもよい。
【符号の説明】
【００４６】
１０：炭酸ガス吐出装置  １１：炭酸ガス吐出マット  １３：吐出孔  １４：空間
２１：炭酸ガス供給装置  ３０：炭酸ガス吐出装置  ３１：炭酸ガス吐出マット
３４：吐出孔  ３５：空間  ４０：炭酸ガス吐出装置  ４１：炭酸ガス吐出座布団
４３：吐出孔  ４５：空間  ５１：炭酸ガス供給装置  ８１：炭酸ガス吐出座布団
８３：吐出孔  ８５：空間  ８７：チューブ（管体）
【図１】
0003157138.tif 000003
【図２】
0003157138.tif 000004
【図３】
0003157138.tif 000005
【図４】
0003157138.tif 000006
【図５】
0003157138.tif 000007
【図６】
0003157138.tif 000008
【図７】
0003157138.tif 000009
【図８】
0003157138.tif 000010
【図９】
0003157138.tif 000011
【図１０】
0003157138.tif 000012
【図１１】
0003157138.tif 000013
【図１２】
0003157138.tif 000014
【図１３】
0003157138.tif 000015
【図１４】
0003157138.tif 000016